(57)【要約】      （修正有）【課題】ソーラー屋外傘において、毎回傘を使用する時に、照明器具を取り付け、傘を閉める時に照明器具を取り外す必要がなく、傘の着脱効率を向上させ、更に傘の構造及び取付コストを削減する光源取付構造を提供する。【解決手段】光源取付構造は、側壁に少なくとも１つの開口部が設けられる中空の傘骨３と、傘骨３の内部に取り付けられる光源４と、互いに接続される透光部及び接続部を備え、透光部が開口部に収容されることにより、光源４から発した光線を透過させ、接続部によって傘骨３に固定して接続される透光板５と、を備える。光源４は傘骨３の軸方向に沿って１つ又は複数設置されてもよく、すべての傘骨３に設置されてもよく、又は一部の傘骨３に設置されてもよく、それにより異なる照明要件を満たす。【選択図】図１
0003219599.tif 000002
【実用新案登録請求の範囲】
【請求項１】
側壁に少なくとも１つの開口部が設けられる中空のブラケットと、
前記ブラケットの内部に取り付けられる光源と、
透光部を備え、前記透光部が前記開口部に収容されることにより、前記光源から発した光線を透過させ、前記ブラケットに接続される透光板と、を備える光源取付構造。
【請求項２】
前記開口部は前記ブラケットの軸方向に開設される非貫通長孔であり、前記透光板は前記開口部側から前記ブラケットに取り付けられる請求項１に記載の光源取付構造。
【請求項３】
前記開口部は前記ブラケットの底部の側壁に設置され、前記透光板は前記開口部の下方向から前記ブラケットに取り付けられる請求項２に記載の光源取付構造。
【請求項４】
前記透光板は接続部を更に備え、前記接続部は前記透光部に接続される１つ又は複数のバックルを備え、前記透光板は前記バックルによって前記ブラケットに係着される請求項１〜３のいずれか一項に記載の光源取付構造。
【請求項５】
前記バックルは中空構造を備えて、フック状の係着端部を有し、前記ブラケットに１つ又は複数の係着孔が開設され、前記係着端部は前記係着孔を貫通して前記ブラケットの側壁に係着される請求項４に記載の光源取付構造。
【請求項６】
前記バックルは裂け目を有し、前記光源取付構造は補強部材を更に備え、前記補強部材は前記裂け目から前記バックルの中空構造に収容される請求項５に記載の光源取付構造。
【請求項７】
フック状の前記係着端部は、案内作用を果たす移行部を有する請求項５又は６に記載の光源取付構造。
【請求項８】
前記透光板の側壁は前記ブラケットの内側へ延在して前記バックルを形成し、前記バックルは前記バックルの側壁が凹んでなる係止溝を備え、前記ブラケットの前記開口部の両側に位置する側壁は内側へ曲げてフックを形成し、前記フックを前記係止溝に挿入することにより、前記ブラケットを前記接続部に係着する請求項４〜７のいずれか一項に記載の光源取付構造。
【請求項９】
前記接続部は前記透光部に位置する、ねじが貫通するための１つ又は複数の取付孔を更に備え、前記取付孔に対応する前記ブラケットの箇所にねじ穴が設けられ、前記透光板及び前記ブラケットはねじで螺合される請求項４〜８のいずれか一項に記載の光源取付構造。
【請求項１０】
前記透光板は更に接続部を備え、前記接続部は前記透光部に位置する、ねじが貫通するための１つ又は複数の取付孔を備え、前記取付孔に対応する前記ブラケットの箇所にねじ穴が設けられ、前記透光板及び前記ブラケットはねじで螺合される請求項１〜３のいずれか一項に記載の光源取付構造。
【請求項１１】
前記透光板及び前記ブラケットのうちの１つにスライド溝が設けられ、もう１つに前記スライド溝に滑合されるスライドブロックが設けられる請求項１〜７のいずれか一項に記載の光源取付構造。
【請求項１２】
前記光源は前記透光部に接着され、又は、
前記光源は、前記ブラケットの軸方向に沿って、前記開口部に対向する前記ブラケットの内壁に接着される請求項１〜１１のいずれか一項に記載の光源取付構造。
【請求項１３】
前記ブラケット内に仕切板が設けられ、前記ブラケットは前記仕切板によって前記開口部を有する、第一のキャビティ及び導線が貫通する第二のキャビティを形成し、前記光源は、前記ブラケットの軸方向に沿って、前記開口部に対向する前記仕切板の内壁に取り付けられる請求項１〜１２のいずれか一項に記載の光源取付構造。
【請求項１４】
前記光源は発光ダイオード光源である請求項１〜１３のいずれか一項に記載の光源取付構造。
【請求項１５】
前記ブラケットは、屋外傘の傘骨、又は、テントブラケットである請求項１〜１４のいずれか一項に記載の光源取付構造。
【請求項１６】
請求項１〜１５のいずれか一項に記載の光源取付構造を備える屋外装置。
【請求項１７】
前記屋外装置はソーラー屋外傘であり、前記ソーラー屋外傘は更に傘地及び傘棒を備え、前記光源取付構造のブラケットは傘骨であり、前記傘地に太陽電池モジュールが取り付けられ、前記傘地又は傘棒又はブラケットに、前記太陽電池モジュールに電気的に接続される、回路基板が取り付けられる請求項１６に記載の屋外装置。
【請求項１８】
前記回路基板と前記光源取付構造の光源との間の少なくても一部の接続線は、前記傘骨の内部を貫通する請求項１７に記載の屋外装置。
【請求項１９】
前記屋外装置はソーラーテントであり、前記光源取付構造のブラケットはテントブラケットであり、前記ソーラーテントは前記テントブラケットに被覆されるテント布を更に備え、前記テント布に太陽電池モジュールが取り付けられ、前記テント布又はテントブラケットに、前記太陽電池モジュールに電気的に接続される回路基板が取り付けられる請求項１６に記載の屋外装置。
【請求項２０】
前記回路基板と前記光源取付構造の光源との間の少なくても一部の接続線は、前記テントブラケットの内部を貫通する請求項１９に記載の屋外装置。
【考案の詳細な説明】
【技術分野】
【０００１】
本願は、屋外装置に関し、特に光源取付構造及び屋外装置に関するが、それに限らない。
【背景技術】
【０００２】
ソーラー屋外傘は電源を必要とせず、省エネで環境に優しい日よけ用具として、太陽電池及び体積が小さく、発光効率が高く、耐用年数が長い発光ダイオード（ＬＥＤ：Ｌｉｇｈｔ  Ｅｍｉｔｔｉｎｇ  Ｄｉｏｄｅ）等の光源と組み合わせて、現在、広く応用されている。
【０００３】
光源を傘に固定する手段は様々あり、例えば、傘棒（傘柄とも称される）又は傘地又は中実傘骨等に固定される。しかしながら、光源を傘棒（又は傘柄）に取り付ける手段を用いると、その光を傘面全体の下方に集光するように確保することが困難である。このため、照明効果が芳しくなく、光源を傘地に取り付ける時、傘地が光源の高熱又は重力の押圧作用によって変形して破損されやすい。
【考案の概要】
【考案が解決しようとする課題】
【０００４】
以下は本明細書において詳しく説明する主題の概説である。本概説は実用新案登録請求の保護範囲を制限するものではない。
【課題を解決するための手段】
【０００５】
本願の実施例に提供される光源取付構造は、側壁に少なくとも１つの開口部が設けられる中空のブラケットと、前記ブラケットの内部に取り付けられる光源と、透光部と、を備え、前記透光部が前記開口部に収容されることにより、前記光源から発した光線を透過させ、前記ブラケットに固定して接続される透光板と、を備える。
【０００６】
いくつかの実施例において、前記開口部は前記ブラケットの軸方向に開設される非貫通長孔であり、前記透光板が前記開口部の片側から前記ブラケットに取り付けられる。
【０００７】
いくつかの実施例において、前記開口部は前記ブラケットの底部の側壁に設置され、前記透光板が前記開口部の下方向から前記ブラケットに取り付けられる。
【０００８】
いくつかの実施例において、前記透光板は更に接続部を備え、前記接続部は前記透光部に接続される１つ又は複数のバックルを備え、前記透光板が前記バックルによって前記ブラケットに係着される。
【０００９】
いくつかの実施例において、前記バックルは中空構造を備えて、フック状の係着端部を有し、前記ブラケットに１つ又は複数の係着孔が開設され、前記係着端部が前記係着孔を貫通して前記ブラケットの側壁に係着される。
【００１０】
いくつかの実施例において、前記バックルは裂け目を有し、前記光源取付構造は更に補強部材を備え、前記補強部材が前記裂け目から前記バックルの中空構造に収容される。
【００１１】
いくつかの実施例において、フック状の前記係着端部が案内作用を果たす移行部を有する。
【００１２】
いくつかの実施例において、前記透光板の側壁は前記ブラケットの内側へ延在して前記バックルを形成し、前記バックルは前記バックルの側壁が凹んでなる係止溝を備え、前記ブラケットの前記開口部の両側に位置する側壁は内側へ曲げてフックを形成し、前記フックを前記係止溝に挿入することにより、前記ブラケットを前記接続部に係着する。
【００１３】
いくつかの実施例において、前記接続部は更に前記透光部に位置する、ねじが貫通するための１つ又は複数の取付孔を備え、前記取付孔に対応する前記ブラケットの箇所にねじ穴が設けられ、前記透光板及び前記ブラケットがねじで螺合される。
【００１４】
いくつかの実施例において、前記透光板は更に接続部を備え、前記接続部は前記透光部に位置する、ねじが貫通するための１つ又は複数の取付孔を備え、前記取付孔に対応する前記ブラケットの箇所にねじ穴が設けられ、前記透光板及び前記ブラケットがねじで螺合される。
【００１５】
いくつかの実施例において、前記透光板及び前記ブラケットのうちの１つにスライド溝が設けられ、もう１つに前記スライド溝に滑合されるスライドブロックが設けられる。
【００１６】
いくつかの実施例において、前記光源が前記透光部に接着され、又は、
前記光源が前記ブラケットの軸方向に沿って前記開口部に対向する前記ブラケットの内壁に接着される。
【００１７】
いくつかの実施例において、前記ブラケットの内に仕切板が設けられ、前記ブラケットが前記仕切板によって前記開口部を有する第一のキャビティ及び導線が貫通するための第二のキャビティを形成し、前記光源が前記ブラケットの軸方向に沿って前記開口部に対応する前記仕切板の内壁に取り付けられる。
【００１８】
いくつかの実施例において、前記光源が発光ダイオード光源である。
【００１９】
いくつかの実施例において、前記ブラケットが屋外傘の傘骨であり、又は、前記ブラケットがテントブラケットである。
【００２０】
また、本願の実施例は以上に記載の光源取付構造を備える屋外装置を提供する。
【００２１】
いくつかの実施例において、前記屋外装置がソーラー屋外傘であり、前記ソーラー屋外傘は更に傘地及び傘棒を備え、前記光源取付構造のブラケットが傘骨であり、前記傘地に太陽電池モジュールが取り付けられ、前記傘地又は傘棒又はブラケットに前記太陽電池モジュールに電気的に接続される回路基板が取り付けられる。
【００２２】
いくつかの実施例において、前記回路基板と前記光源取付構造の光源との間の少なくても一部の接続線が前記傘骨の内部を貫通する。
【００２３】
いくつかの実施例において、前記屋外装置がソーラーテントであり、前記光源取付構造のブラケットがテントブラケットであり、前記ソーラーテントは更に前記テントブラケットに被覆されるテント布を備え、前記テント布に太陽電池モジュールが取り付けられ、前記テント布又はテントブラケットに前記太陽電池モジュールに電気的に接続される回路基板が取り付けられる。
【００２４】
いくつかの実施例において、前記回路基板と前記光源取付構造の光源との間の少なくても一部の接続線が前記テントブラケットの内部を貫通する。
【考案の効果】
【００２５】
図面の概説及び本願の実施形態を精読及び理解した後、他の態様を把握できる。
【図面の簡単な説明】
【００２６】
図面は本願の技術案のさらなる理解を提供するためのものであって、明細書の一部となり、本願の実施例とともに本願の技術案を解釈するためのものであり、本願の技術案を制限するためのものではない。
【図１】本願の実施例に係る屋外傘の分解構造模式図（傘地なし状態）である。
【図２】図１におけるＡ部の部分拡大構造模式図である。
【図３】本願の実施例に係る屋外傘の光源取付構造を傘骨の軸線に垂直する方向に沿って切断した後の断面模式図である。
【図４】図２における透光板の部分構造の模式図である。
【図５】本願の実施例に係る屋外傘に傘地が付けられる時の構造模式図である。
【図６】本願の実施例に係る光源取付構造を傘骨の軸線に垂直する方向に沿って切断した後の断面模式図である。
【図７】図６における光源取付構造を傘骨の軸線に平行する方向に沿って切断した後の断面構造模式図である。
【図８】図７における傘骨の立体構造模式図である。
【図９】本願の別の実施例に係る光源取付構造を傘骨の軸線に垂直する方向に沿って切断した後の断面模式図である。
【考案を実施するための形態】
【００２７】
以下、図面を参照しながら本願の実施例を詳しく説明する。衝突がない場合、本願における実施例及び実施例における特徴を互いに任意に組み合わせることができる。
【００２８】
本願の実施例において屋外傘を例として説明するが、本願はこれに限らない。例えば、本願の光源取付構造は屋外傘を除く他の中空ブラケット付き屋外装置に使用されてもよく、例えば、テントの中空ブラケット、自動車の内部又は外部の中空ブラケット等に適用されてもよい。ただし、本願は屋外傘に限らない。
【００２９】
図１〜図３に示すように、本願の実施例に係る光源取付構造は、側壁に少なくとも１つの開口部３３が設けられる中空の傘骨（つまりブラケット）３と、傘骨３の内部に取り付けられる光源４と、互いに接続される透光部５０及び接続部を備え、透光部５０が前記開口部３３に収容されることにより、光源４から発した光線を透過させ、接続部によって傘骨３に固定して接続される透光板５と、を備える。
【００３０】
本実施例において、開口部３３は傘骨３の軸方向（つまり傘骨３の長手方向）に開設される非貫通長孔（「非貫通長」とは孔が傘骨３の軸方向に沿って傘骨３を貫通しないことを意味する）であり、透光板は開口部３３側から前記傘骨３に取り付けられる。透光部５０が開口部３３に収容される時、透光部５０の外側表面（傘骨３の内部を離れる表面で、図３における下表面）は傘骨３の外側表面と同一平面上にあってもよく、又は、傘骨３の外側表面から突出し又はそれより低くなってもよい。
【００３１】
上記光源４は傘骨３の軸方向に沿って１つ又は複数設置されてもよく、すべての傘骨３に設置されてもよく、又は一部の傘骨３に設置されてもよく、それにより異なる照明要件を満たす。
【００３２】
開口部３３は傘骨３の任意箇所に設置されてもよく、取付要件を満たせばよい。本実施例において、傘骨３の開口部は外部に向く側壁、つまり傘地で遮蔽されていない側壁に設置されてもよく、それにより光源４が開口部から外へ光線を透過できるように確保する。図３に示すように、開口部３３は傘骨３の底壁（つまり底部の側壁）３４に設置されてもよい。光源４の接続導線を中空の傘骨３内で通常に配線することができ、それにより導線の露出による回路混乱の問題を避ける。
【００３３】
本実施例において、透光部５０及び接続部は一体構造であるが、他の実施例において、透光部５０及び接続部は異なる部材であってもよく、係着、挿着、接着等の方式で固定して接続される。一例において、透光部５０及び接続部は透光なプラスチック材質で一体加工成形してもよく、一体プラスチック構造は加工及び組み立てに便利であるだけでなく、透光部５０と接続部とがより高い接続強度を有するように確保し、透光板５の使用信頼性を向上させる。透光部及び接続部はプラスチック材質に限らず、透光な材料であればよい。
【００３４】
本実施例において、光源４は発光ダイオードＬＥＤライト又はＬＥＤ光源基板（以下、ＬＥＤ光源基板と略称され、図２参照）又はＬＥＤストリップである。取り付けの時、ＬＥＤライトをＬＥＤ光源基板に予め製造することができ、ライトとライトとの間の導線の接続を予め完了し、次に前記光源基板を透光部５０又は傘骨３の内壁に接着接続する。
【００３５】
本実施例において、傘骨３の断面形状は矩形であり、他の実施例において、円形又は円弧形又は他の形状であってもよい。それに対応して、透光部５０を傘骨３の開口部３３の形状とマッチングする形状に加工することにより、組み立て後の透光部５０と傘骨３の外側壁との貼合をより緊密にし、光源取付構造全体の外形の美しさを高め、透光部５０の透光効果を向上させる。
【００３６】
上記光源４、透光板５及び傘骨３はともに傘に付けられた照明器具を構成し、傘の全体構造を簡素化し、光源４を中実な傘骨に直接取り付けた後に、光源の直射によりもたらすグレアを避ける。光源に透光アセンブリ（例えばスリーブ型ランプシェード）を追加して照明器具を形成し、更に中実な傘骨に取り付ける手段に比べて、該光源取付構造において、余分の照明器具の着脱を必要とせず、傘骨以外の他の余分の空間を占有しないため、傘を閉じることに影響を与えず、照明器具を破壊することもない。該光源取付構造は常に傘に取り付けられてもよく、このため、毎回傘を使用する時に、照明器具を取り付け、傘を閉める時に照明器具を取り外す必要がなく、傘の着脱効率を向上させ、更に傘の構造及び取付コストを削減する。
【００３７】
光源４を中空の傘骨３の内部に設置することにより、光源４の安全性及び動作信頼性を十分に確保する。光源４は透光部５０の内側表面（つまり傘骨３の内部に向かっている表面で、図３における透光部５０の上表面）に接着固定されてもよい。本実施例において、図４に示すように、光源４は透光部５０に形成された補強リブ５１構造に固定される。補強リブ５１の設置によって、光源４の取付・位置決めに便利である。しかしながら、透光部５０における光源４の取付構造は他の形式、例えば補強リブ５１なしの平面又は溝等であってもよく、光源４は係着、挿着等の他の接続方式で固定されてもよい。
【００３８】
他の実施例において、光源４は傘骨３の軸方向に沿って開口部３３に対向する傘骨３の内壁に接着されてもよく、このように、光源４の接続を確実にし、変位しにくく、滑り落ちにくい。光源４と透光板５、又は光源４と傘骨３の接続方式は係着、挿着等の他の接続方式を用いてもよい。
【００３９】
透光板５は拡散板、すり板、散光板等の形式であってもよく、本実施例は制限せず、透光板５は光源４から発した光が人の目に直射する時にまぶしく、グレアを感じる状況を避けるという作用を果たす。
【００４０】
他の実施例において、透光板５は透光部５０のみを備え、透光部５０は傘骨３に直接接着される。このような方式は、構造が簡単であるが、接着剤が劣化すると脱落しやすく、光源４を取り替える時、透光板５を取り外して改めて接着する必要がある。
【００４１】
別の実施例において、透光板５は透光部５０、及び透光部５０に位置する、ねじが貫通するための１つ又は複数の取付孔（つまり接続部が取付孔構造である）を備える。傘骨３の対応の位置にねじ穴が設けられ、透光部５０及び傘骨３がねじで螺合される。透光部５０に１つ又は複数の取付孔が開設されてもよく、傘骨３の対応の位置にねじ穴が設けられ、ねじで前記取付孔を貫通して傘骨３のねじ穴に螺合され、それにより透光板５を傘骨３に固定する。このような接続方式は、構造が簡単で、ドライバーで迅速に着脱することができる。
【００４２】
図２〜４に示すように、本実施例の接続部は透光部５０から突出する１つ又は複数のバックル６を備え、複数のバックル６は傘骨３の軸線方向に沿って間隔を置いて設置されてもよく（図２に２つを示すが、２つ以上であってもよい）、又は透光板５の寸法がより小さい時に、１つのバックルを用いてもよい。透光部５０を収容する開口部３３に対向する傘骨３の側壁に１つ又は複数の係着孔３２が設けられ、図２に２つを示すが、それに限らない。
【００４３】
いくつかの実施例において、バックル６は中空構造６４を備えて、フック状の係着端部６０を有する。係着端部６０は係着孔３２を貫通して傘骨３の側壁３１に係着されてもよい。
【００４４】
図３において、例示的なバックル６全体は中空柱状構造であり、その上端がフック状の係着端部６０を有し、係着端部６０は係着孔３２を貫通して、傘骨３の上側の側壁３１に係着されてもよい。係着孔３２の形状を長尺状又は矩形状、円形状又は他の多角形状等に設定してもよい。
【００４５】
いくつかの実施例において、係着端部６０が係着孔３２を便利に、正確に貫通するために、透光板５及び傘骨３にそれぞれスライドブロック及びスライド溝を設置することができ、スライドブロックがスライド溝に滑合されてもよく、且つスライドブロック及びスライド溝をバックル６の挿入方向に沿って設置する。バックル６を傘骨３内に伸び込む時、スライドブロックはスライド溝に沿ってスライドすることができ、バックルを挿入するために案内作用を果たし、係着端部６０が係着孔３２を正確に貫通するために利便性をもたらす。
【００４６】
いくつかの実施例において、バックル６は１つ又は複数の裂け目６３を有し、それによりその上端が一定の弾性を有し、係着孔３２に挿入し及び係着孔３２から取り外すことに利便性をもたらす。
【００４７】
いくつかの実施例において、光源取付構造は更に補強部材を備えてもよく、前記補強部材は裂け目６３からバックル６の中空構造６４に収容されてもよい。
【００４８】
図３に示す例において、バックル６の上部に１つの裂け目６３が開設され、該裂け目６３はバックル６の中空構造６４と連通する。補強部材はピン７である。ピン７を上方からバックル６の中空構造に挿入することにより、バックル６の上端を広げ、傘骨の側壁３１とバックル６との間の緩めにより係着できないことを防止できる。ピン７は同じプラスチック材質で加工してもよく、又は金属又はセラミックス等の他の材質を選択してもよい。
【００４９】
補強部材はピンに限らず、他の構造、例えば、ねじ、位置決め柱等であってもよい。
【００５０】
いくつかの実施例において、バックル６の上端はほぼフック状の係着端部６０であって、移行部６１を有し、移行部６１はほぼ錐形であってもよい。バックル６が上向きで係着孔３２を貫通する時、移行部６１は案内作用を果たす。
【００５１】
図３に示すバックル６は移行部６１の下方に係止溝６２が形成され、移行部６１の下方に段付面又は逆方向の移行部（移行部６１とは鏡像関係である）等の他の構造が形成されてもよい。
【００５２】
別の実施例において、接続部は透光部から突出する１つ又は複数のバックルを備え、前記バックルは中実のものであってもよく、該中実なバックルの上端に錐形の移行部及び該移行部が鏡像関係である逆方向の移行部が設けられる。接続部上端の双方向の移行部によってバックルの挿入及び取り外しを実現する。
【００５３】
別の実施例において、前記バックルは透光部から直接上向きに延在する逆「八」字形の構造を呈する２つのフック（つまり２つのフックが下から上まで徐々に互いに離れて延在する）であってもよく、傘骨の対応位置に係着孔が設けられ、該係着孔が透光部を収容する開口部の両側に設置されてもよく、又は前記開口部に対応する側壁に設置されてもよく、又は開口部が比較的に小さい時、前記開口部を直接係着孔としてもよい。該２つのフックの弾性特性を利用してそれを対応する係着孔に挿入し、透光板と傘骨との係着を実現する。
【００５４】
係着を実現する具体的な構造は多くあり、本願はある１つの具体的な構造に限らない。
【００５５】
透光板５を取り付ける時、バックル６を押し出すことにより、バックル６の端部の移行部６１が係着孔３２を貫通し、係着孔３２が位置する傘骨３の側壁３１に係着し、それからピン７をバックル６の中空の裂け目６３に挿入し、バックル６の上端を広げ、傘骨の側壁３１とバックル６との間の緩めにより係着できないことを防止できる。該係着方式は、構造が簡単で、取り付けに便利であり、且つ透光板５と傘骨３との接続が確実で、他の補助用具を用いる必要がない。また、透光板５を取り外す時、ピン７を取り出して、バックル６の上端を傘骨の側壁３１から分離するだけで、バックル６及び透光板５を傘骨３から迅速に取り外すことができ、便利且つ迅速に取り外すことができる。
【００５６】
別の実施例において、接続部は透光部から突出する１つ又は複数の接続ロッドを備え、前記接続ロッドの上端にねじ穴が開設され、傘骨の対応位置に対応する取付孔が設けられ、前記接続ロッドが対応する取付孔を貫通してボルトで固定されると、透光板を傘骨に固定して取り付けることができる。
【００５７】
以上は透光板と中空の傘骨とが係着、接着、螺合等の方式で接続固定されることを説明した。しかしながら、本願は以上の方式に限らず、挿着、一体接続（つまり傘骨と透光板とが一体構造であり、この時、傘骨が透明又は半透明材料で製造される）等の他の接続方式を用いてもよい。
【００５８】
また、本願の実施例において提供される傘は、傘地、傘棒及び本実施例に記載の光源取付構造を備え、該光源取付構造の光源は太陽電池、普通の電池、外部電源等の方式で給電されてもよい。該傘は屋外傘であってもよい。
【００５９】
例示的な一実施例において、図１〜図５に示すように、ソーラー屋外傘は、上記いずれか１つ又は複数の光源取付構造、傘地１及び傘棒８を備え、傘地１は傘骨３に支持され、傘骨３は傘棒８に接続される。傘地１に太陽電池モジュール２が取り付けられ、太陽電池モジュール２は薄膜太陽電池モジュール又は結晶系シリコン太陽電池モジュールであってもよい。中空の傘骨３内にＬＥＤ光源基板（つまり光源４）及び透光板５が取り付けられ、傘棒８に回路基板を内蔵したハウジング９（つまりハウジングに回路基板、例えば完成品である回路基板（ＰＣＢＡ基板）が内蔵される）が取り付けられ、又は回路基板は傘棒８、傘地１又は傘骨３の任意の位置に取り付けられてもよい。太陽電池モジュール２、回路基板及び光源４は順に電気的に接続され、回路基板と光源取付構造の光源４との間の少なくても一部の接続線は傘骨３の内部を貫通してもよい（他の接続線は中空の傘棒８内を貫通してもよい）。従って、上記光源取付構造は更に便利に配線できるという効果を有し、外部に配線する不便を避ける。
【００６０】
図５に示す例において、傘棒８における回路基板を内蔵したハウジング９に更に開閉ハンドル１０が設置され、開閉ハンドル１０を回転することにより、傘の開閉を制御することができる。傘棒８は台座１１によって地上又は立面に固定して取り付けられる。本実施例において、回路基板は更に電力貯蔵用電池に接続されてもよい。
【００６１】
図２〜図５に示すように、光源取付構造の取付プロセスは、
光源４を透光板５に固定して接続するステップ１と、
透光板５を中空の傘骨３内に入れ、透光部５０を開口部３３に収容し、バックル６によって傘骨３に固定して接続するステップ２と、
ピン７をバックル６の中空の裂け目６３に挿入し、バックル６を広げ、位置決めするステップ３と、を含む。
【００６２】
使用時、傘地１に位置する太陽電池モジュール２は太陽光の照射下で電圧差を発生し、それにより太陽エネルギーを電気エネルギーに変換し、直列並列接続の処理によってハウジング９に内蔵されている回路基板に接続されて、処理してから電力貯蔵用電池を充電する。別の実施例において、商用電源で電力貯蔵用電池を充電することができる。夜に照明する必要がある時、電力貯蔵用電池はハウジング９に内蔵されている回路基板によって制御されて対応する電流を出力し、ＬＥＤ光源基板を点灯して照明する。
【００６３】
本実施例において、透光板５にバックル６を設置し、ピン７と合わせることによって、透光板５と傘骨３との接続を確実にし、着脱しやすくする。光源４及び透光部５０は中空の傘骨３に安全且つ確実に取り付けられ、且つ全体構造はより簡単で、着脱に便利である。また、体積が小さく、発光効率が高くて耐用年数が長いＬＥＤ光源基板を用いると、更に光源取付構造の占有空間を減少させ、それにより屋外傘製品は構造が簡単で美しく、着脱効率が高くて使用効率が高いという利点を有する。
【００６４】
図６〜図８に示すように、例示的な一実施例において、光源取付構造は中空の傘骨３’、光源４’及び透光板５’を備える。透光板５’は透光部５０’及び接続部を備え、接続部は１つ又は複数のバックル６’を備える。
【００６５】
本実施例において、傘骨３’の中空構造に開口部３１１’に対向する１つの仕切板３２’を追加することによって、傘骨３’内に上下二層の取付空間、つまり開口部３１１’側に位置する第一のキャビティ３１２’及び導線が貫通する第二のキャビティ３１３’を形成する。光源４’（例えばＬＥＤ光源基板）は傘骨３’の軸方向に沿って開口部３１１’に対向する仕切板３２’の内壁に取り付けられて、開口部３１１’に収容される透光部５０’によってＬＥＤ光源基板から発した光線を透過させる。光源４’の接続導線を中空の傘骨の第二のキャビティ３１３’内で通常に配線することができ、それにより導線の露出による回路混乱の問題を避ける。
【００６６】
透光部５０’に更にねじが貫通するための１つ又は複数の取付孔５１’が設置されてもよく、仕切板３２’にねじ穴３２１’が対応に設置され、ＬＥＤ光源基板に取付孔４０’が対応して設置される。ねじ１２で透光部５０’の取付孔５１’、ＬＥＤ光源基板の取付孔４０’及びねじ穴３２１’を貫通し、透光部５０’、ＬＥＤ光源基板及び仕切板３２’の３つをねじ１２で螺合させる。このような固定方式は、構造が簡単であって、光源が確実に固定され、１つのねじ１２でＬＥＤ光源基板と仕切板３２’との間、透光部５０’と仕切板３２’との間の固定接続を同時に実現することができ、着脱効率を更に向上させる。
【００６７】
別の例示的な実施例において、光源４’は接着又は係着等の方式で仕切板３２’に固定されてもよく、ねじ１２で透光部５０’及び仕切板３２’を固定して接続する。
【００６８】
図６〜図８に示すように、本実施例において、透光板５’の２つの側壁は上向きに（傘骨３’の内部に向かって）延在してバックル６’を形成する。バックル６’を長く設置する必要がなく、バックル６’の側壁が凹んで形成する係止溝６２’を含み、傘骨３’は開口部３１１’の両側に位置する２つの側壁が傘骨３’の内側に曲げてフック３３’を形成する。傘骨３’が透光板５’に接続される時、フック３３’を係止溝６２’に直接挿入すると、傘骨３’と透光板５’との係着を完了することができる。該係着構造は更に簡素化され、係着動作ステップは更に少なくなり、簡単で、着脱効率を更に向上させる。
【００６９】
別の実施例において、透光板５’は透光部５０’のみを備えてもよく、透光部５０’は開口部３１１’の両側に位置する傘骨３’の側壁に直接に接着される。
【００７０】
容易に理解できるなのは、透光板５’と傘骨３’との接続方式はフック３３’と係止溝６２’との係着嵌合方式、又は透光部５０’と仕切板３２’とがねじ１２で螺合される方式中の１つを独立して用いてもよく、又はフック３３’と係止溝６２’との係着嵌合方式及び透光部５０’と仕切板３２’とがねじ１２で螺合される方式を同時に用いてもよく、それにより二重固定接続を実現する。ＬＥＤ光源基板と仕切板３２’とは接着又は螺合又は係着又は挿着等の接続方式で実現されてもよい。ＬＥＤ光源基板と仕切板３２’との固定接続、透光部５０’と仕切板３２’との固定接続は１つのねじ１２で同時に完了してもよく、又はそれぞれ独立して接続してもよく（つまりＬＥＤ光源基板と仕切板３２’とは１つのねじで接続され、透光部５０’と仕切板３２’とは１つのねじで接続される）、本願はこれを制限しない。
【００７１】
例示的な一実施例において、図９に示すように、光源取付構造は中空の傘骨３”、光源４”及び透光板５”を備える。透光板５”は透光部５０”を備え、透光部５０”は傘骨３”の開口部３１１”に配置される。
【００７２】
本実施例において、透光板５”及び傘骨３”のうちの１つにスライド溝が設けられ、もう１つにスライド溝に滑合されるスライドブロックが設けられ、スライド溝は傘骨３”の軸方向に沿って設置される。透光板に設置されるスライドブロック又はスライド溝は透光板の接続部を構成できる。
【００７３】
図９に示す例において、透光部５０”の左右両側にスライドブロック５１”が設置され、開口部３１１”の左右両側に位置する傘骨３”の底壁３１”の箇所にスライド溝３１０”が設置され、スライド溝３１０”は傘骨３”の軸方向（つまり図面における紙面に垂直する方向である）に沿って設置される。透光板５”を取り付ける時、スライドブロック５１”はスライド溝３１０”に沿ってスライドすることができ、スライドブロック５１”の端部がスライド溝３１０”の内壁面に当接する時、スライドブロック５１”は所望した位置にスライドし、この時、透光板５”は所望した位置に取り付けられる。
【００７４】
スライドブロック５１”がスライド溝３１０”に嵌合されるため、透光板５”の取付に利便性をもたらすだけでなく、更に透光板５”を支持、固定する作用を果たし、透光板５”と傘骨３”との固定接続を実現する。
【００７５】
他の実施例において、スライドブロックをブラケットに設置し、スライド溝を透光板に設置することができる。スライドブロック及びスライド溝の設置数及び設置箇所は図示に限らない。
【００７６】
いくつかの実施例において、更に透光板５”と傘骨３”との固定信頼性を向上させるために、透光板５”及び傘骨３”を係着又はねじで接続することができる。
【００７７】
要するに、本願の実施形態は以下の有益な効果を有する。  
【００７８】
１、光源、透光板及び傘骨を一体に組み立てることにより、傘に付けられた照明器具を構成し、光源の組み立て構造を簡素化して、安全且つ確実に固定でき、着脱効率が向上し、更に光源を組み立てる構造コスト及び取付コストを削減する。
【００７９】
２、接続部を介して、透光板を傘骨に固定して接続することにより、接続方式を簡単且つ柔軟にし、透光板の組み立て難度を下げ、透光部の組み立て精度及び組み立て安定性を向上させる。
【００８０】
３、透光部、接続部はプラスチック材料で一体加工成形されてもよく、構造を便利に加工、組み立てることができるという利点を有し、更に製造コストを削減し、生産効率を向上させる。
【００８１】
４、ＬＥＤ光源を用いて、光源取付構造の占有空間を減少させることによって、屋外傘製品は構造が簡単で美しく、着脱効率が高くて使用効果が高いという利点を有する。
【００８２】
５、傘骨内に仕切板を設置し、傘骨内の空間を２つのチャンバに仕切り、１つのチャンバは光源を取り付け固定することに用いられ、もう１つのチャンバは導線が貫通することに用いられることにより、導線の露出による回路混乱の問題を避ける。
【００８３】
また、本願の実施例は本願の実施例に記載の光源取付構造を備える屋外装置を提供する。
【００８４】
上記実施例において屋外傘を例として説明したが、本願はそれに限らない。例えば、本願の上記光源取付構造は傘を除く他の中空ブラケット付きの屋外装置に使用されてもよく、例えば、テントの中空ブラケット、自動車の内部又は外部の中空ブラケット等に適用されてもよい。
【００８５】
例えば、本願の別の実施例は上記いずれか１つの光源取付構造を備えるテントを提供する。該テントは、中空のテントブラケット、前記テントブラケットに被覆されるテント布、前記テントブラケットの内部に取り付けられる光源、及び前記テントブラケットに取り付けられる透光板を備えてもよく、前記透光板は透光部を備え、前記透光部は前記テントブラケットの開口部に収容され前記光源から発した光線を透過させる。光源は前記テントの頂部又はテント周囲のテントブラケット内に取り付けられてもよく、光源取付構造は上記傘の光源取付構造と同様であってもよいが、取り付けためのブラケットの１つは傘骨であり、もう１つはテントブラケットである。従って、他の中空ブラケット付き屋外装置に上記いずれか１つの光源取付構造を使用してもよい。
【００８６】
該テントはソーラーテントであってもよく、該ソーラーテントは更にテント布に取り付けられる太陽電池モジュールを備えてもよく、前記テント布又はテントブラケットに前記太陽電池モジュールに電気的に接続される回路基板が取り付けられる。太陽電池モジュール、回路基板及び光源は順に電気的に接続され、それにより太陽電池モジュールで光源に給電することができる。該ソーラーテントは更に電力貯蔵用電池を備えてもよく、回路基板は更に電力貯蔵用電池に接続され、太陽電池モジュールが発電した電力を貯蔵し、使用に備えることができる。
【００８７】
本願の説明において、専門用語「複数」とは２つ又は２つ以上を意味する。
【００８８】
本願の説明において、専門用語「上」、「下」、「内」、「外」、「軸線方向」、「外側」、「相対側」等で示す方位又は位置関係は図面に示す方位又は位置関係であり、本願を説明し及び説明を簡素化するためのものであり、説明された構造が特定の方位を有し、特定の方位で構成及び操作することを指示又は示唆するためのものではなく、従って、本願を制限するためのものではない。
【００８９】
本願の実施例の説明において、特に断りがない限り、専門用語「接続」、「固定接続」、「取付」、「組み立て」を広義で理解すべきであり、例えば、固定接続であってもよいし、取り外し可能な接続、又は一体接続であってもよく、専門用語「取付」、「接続」、「固定接続」は直接接続であってもよく、中間媒質による間接接続であってもよく、２つの素子内部の連通であってもよい。当業者なら、具体的な状況に応じて上記専門用語の本願での具体的な意味を理解することができる。
【００９０】
以上は本願に開示された実施形態であるが、前記内容は本願を理解しやすくするために用いた実施形態であり、本願を制限するためのものではない。透光部と中空傘骨との、光源と透光部との、光源と中空傘骨との固定接続方式は以上のいくつの方式に限らず、更に当業者が容易に想到し得る他の成熟した技術を用いてもよい。当業者は、本願に開示された趣旨及び範囲を逸脱せずに、実施形態及び細部に対していかなる修正及び変更を行うことができるが、本願の実用新案登録の保護範囲は、添付の実用新案登録請求の範囲に準じる。
【符号の説明】
【００９１】
１  傘地
２  太陽電池モジュール
３  傘骨
３１  側壁
３２  係着孔
３３  開口部
３４  底壁
４  光源
５  透光板
５０  透光部
５１  補強リブ
６  バックル
６０  係着端部
６１  移行部
６２  係止溝
６３  裂け目
６４  中空構造
７  ピン
８  傘棒
９  ハウジング
１０  開閉ハンドル
１１  台座
３’  傘骨
３１１’  開口部
３１２’  第一のキャビティ
３１３’  第二のキャビティ
３２’  仕切板
３２１’  ねじ穴
３３’  フック
４’  光源
４０’  取付孔
５’  透光板
５０’  透光部
５１’  取付孔
６’  バックル
６２’  係止溝
１２  ねじ
３”  傘骨
３１”  底壁
３１０”  スライド溝
３１１”  開口部
４”  光源
５”  透光板
５０”  透光部
５１”  スライドブロック
【図１】
0003219599.tif 000003
【図２】
0003219599.tif 000004
【図３】
0003219599.tif 000005
【図４】
0003219599.tif 000006
【図５】
0003219599.tif 000007
【図６】
0003219599.tif 000008
【図７】
0003219599.tif 000009
【図８】
0003219599.tif 000010
【図９】
0003219599.tif 000011